(57)【要約】      （修正有）【課題】購入前の容器に装着又は付属されたＩＣタグから容易に情報を取得させないようにすること。【解決手段】容器１０には特定のサイトにアクセスするためのアクセス情報が記憶された無線タグ１０３が蓋１０１の天井面付近に備えられ、蓋には電磁波を遮断する遮断フィルム１０５が貼り付けられている。容器は蓋の天井面付近は少なくとも樹脂製で構成され、本体１０２は金属製で構成される又は容器は樹脂製で構成され、本体の下端から無線タグまでの距離が無線タグの通信可能範囲よりも長い。【選択図】図１
2017134450.tif 000002
【特許請求の範囲】
【請求項１】
特定のサイトにアクセスするためのアクセス情報が記憶された無線タグが蓋の天井面付近に備えられ、前記蓋には電磁波を遮断する遮断フィルムが貼り付けられている容器。
【請求項２】
前記蓋の天井面付近は少なくとも樹脂製で構成され、本体は金属製で構成される、請求項１に記載の容器。
【請求項３】
前記蓋の天井面付近は少なくとも樹脂製で構成され、本体は樹脂製で構成され、前記本体の下端から前記無線タグまでの距離が前記無線タグの通信可能範囲よりも長い、請求項１に記載の容器。
【請求項４】
特定のサイトにアクセスするためのアクセス情報が記憶された無線タグが電磁波を遮断する本体内部に収容されている容器。
【請求項５】
前記無線タグは、適当な位置に取り付けて使用可能である、請求項４に記載の容器。
【請求項６】
遮断フィルムは、容易に取り外し可能である、請求項１から４のいずれか一項に記載の容器。
【請求項７】
請求項１から６のいずれか一項に記載の容器と、
前記特定のサイトのデータを記憶するサーバと、
前記無線タグから取得される前記アクセス情報に基づいて、前記サーバから前記特定のサイトのデータを取得し、取得した前記特定のサイトのデータを表示する通信装置と、
を備える情報提供システム。
【発明の詳細な説明】
【技術分野】
【０００１】
本発明は、ＩＣタグが装着又は付属された容器及び容器を備えたシステムに関する。
【背景技術】
【０００２】
従来、飲料用又は調理用に使用される容器に装着又は付属したＩＣタグと通信することによって様々な処理を実行するシステムが知られている（例えば、特許文献１及び２参照）。また、容器に装着又は付属したＩＣタグに容器に関する情報を記憶させておくことにより、容器の購入者はＩＣタグから容器に関する情報を取得することができる。
【先行技術文献】
【特許文献】
【０００３】
【特許文献１】特開２００８−２９３３２４号公報
【特許文献２】特開２００８−２８７５６６号公報
【発明の概要】
【発明が解決しようとする課題】
【０００４】
しかしながら、上記のような場合には、容器を購入していない人でも情報を取得できてしまう。例えば、購入前の容器に通信装置を近づけてＩＣタグと通信を行わせることによって容器を購入していない人であっても容易に情報を取得できてしまうという問題があった。
【０００５】
上記事情に鑑み、本発明は、購入前の容器に装着又は付属されたＩＣタグから容易に情報を取得させない技術の提供を目的としている。
【課題を解決するための手段】
【０００６】
本発明の一態様は、特定のサイトにアクセスするためのアクセス情報が記憶された無線タグが蓋の天井面付近に備えられ、前記蓋には電磁波を遮断する遮断フィルムが貼り付けられている容器である。
【０００７】
本発明の一態様は、上記の容器であって、前記蓋の天井面付近は少なくとも樹脂製で構成され、本体は金属製で構成される。
【０００８】
本発明の一態様は、上記の容器であって、前記蓋の天井面付近は少なくとも樹脂製で構成され、本体は樹脂製で構成され、前記本体の下端から前記無線タグまでの距離が前記無線タグの通信可能範囲よりも長い。
【０００９】
本発明の一態様は、特定のサイトにアクセスするためのアクセス情報が記憶された無線タグが電磁波を遮断する本体内部に収容されている容器である。
【００１０】
本発明の一態様は、上記の容器であって、前記無線タグは、適当な位置に取り付けて使用可能である。
【００１１】
本発明の一態様は、上記の容器であって、遮断フィルムは、容易に取り外し可能である。
【００１２】
本発明の一態様は、上記の容器と、前記特定のサイトのデータを記憶するサーバと、前記無線タグから取得される前記アクセス情報に基づいて、前記サーバから前記特定のサイトのデータを取得し、取得した前記特定のサイトのデータを表示する通信装置と、を備える情報提供システムである。
【発明の効果】
【００１３】
本発明により、購入前の容器に装着又は付属されたＩＣタグから容易に情報を取得させないようにすることが可能となる。
【図面の簡単な説明】
【００１４】
【図１】第１の実施形態における容器１０の構成を示す図である。
【図２】本発明の容器１０を用いて容器１０の購入者に対して情報提供を行う情報提供システム１００のシステム構成を示す図である。
【図３】通信装置２０の機能構成を表す概略ブロック図である。
【図４】通信装置２０の処理の流れを示すフローチャートである。
【図５】アクセス情報テーブルの具体例を示す図である。
【図６】変形例における通信装置２０の処理の流れを示すフローチャートである。
【図７】第２の実施形態における容器１０ａの構成を示す図である。
【発明を実施するための形態】
【００１５】
以下、本発明の一実施形態を、図面を参照しながら説明する。
（第１の実施形態）
図１は、第１の実施形態における容器１０の構成を示す図である。
容器１０は、飲食料保存用又は調理用に使用される容器である。例えば、容器１０の一例として、水筒、タンブラー、フードコンテナ、圧力鍋等が挙げられる。なお、容器１０は、これらに限定される必要はなく、飲食料保存用又は調理用に使用される容器であればどのような容器であってもよい。容器１０は、図１に示されるように、蓋１０１及び本体１０２で構成される。なお、容器１０は、購入前には梱包箱１に収容される。さらに、容器１０には、ＩＣタグ１０３が備えられる。ＩＣタグ１０３は、例えばシート状であってもよいし、モジュール基盤であってもよいし、吊り下げ可能なタグであってもよいし、その他の形態であってもよい。第１の実施形態では、ＩＣタグ１０３がシート状で容器１０の蓋１０１の天井面近傍（例えば、図１の点線１０４で示される部分）に備えられている場合を例に説明する。
【００１６】
ＩＣタグ１０３は、通信装置２０から送信する電波によって起動するパッシブタグである。ＩＣタグ１０３には、アクセス情報が記憶されている。アクセス情報とは、ＩＣタグ１０３が備えられている容器１０に関連する情報が登録されているサイトにアクセスするための情報である。例えば、アクセス情報は、サイトのＵＲＬ（Uniform Resource Locator）である。ここで、容器１０に関連する情報とは、容器１０の有効な使用方法や、最新情報等の容器１０の利便性を向上させる情報及び容器１０の購入者だけが知ることができる特別な情報である。容器１０に関連する情報の一例として、例えば容器１０が調理用に使用される容器であれば容器１０で調理可能なレシピ、献立のアシスト情報、ユーザのレシピ使用履歴、メーカーの新商品情報、お手入れ方法等の情報が挙げられる。献立のアシスト情報としては、ユーザの登録情報や季節などからお勧めレシピの紹介、食材のネット販売紹介が挙げられる。また、ＩＣタグ１０３の表面又はＩＣタグ１０３の周囲には、電磁波を遮断するフィルム（以下、「遮断フィルム」という。）１０５が貼り付けられる。なお、遮断フィルム１０５は、容器１０の購入前に貼り付けられており、購入後に容易に取り外し可能である。
次に、蓋１０１及び本体１０２の具体的な構成について説明する。
蓋１０１は、少なくとも点線１０４で示される部分が電磁波を通す素材（例えば、樹脂、シリコンゴム、ガラス等）で構成される。蓋１０１は、全体が電磁波を通す素材で構成されてもよいし、点線１０４で示される部分以外の部分が金属で構成されてもよい。本体１０２は、金属（例えば、電磁波シールド素材、ステンレス、アルミニウム）等の電磁波を通さない素材で構成される。
【００１７】
図２は、本発明の容器１０を用いて容器１０の購入者に対して情報提供を行う情報提供システム１００のシステム構成を示す図である。情報提供システム１００は、容器１０、通信装置２０及びサーバ３０を備える。通信装置２０及びサーバ３０は、ネットワーク４０を介して通信可能に接続される。なお、情報提供システム１００の説明においては、容器１０の遮断フィルム１０５は取り除かれていることを前提とする。
通信装置２０は、例えばスマートフォン、携帯電話、タブレット端末、ノートパソコン、パーソナルコンピュータ、ゲーム機器等の情報処理装置を用いて構成される。通信装置２０は、容器１０に備えられるＩＣタグ１０３との間で近距離無線通信（例えば、ＮＦＣ（Near Field Communication））によってアクセス情報を取得し、取得したアクセス情報に基づいて、ネットワーク４０を介してサーバ３０上のサイトにアクセスする。
サーバ３０は、パーソナルコンピュータ等の情報処理装置を用いて構成される。サーバ３０は、各種サイトのデータを記憶する。サーバ３０は、通信装置２０からのアクセスに応じて、対応するサイトのデータを通信装置２０に送信する。サーバ３０に記憶されているサイトのデータは、サーバ３０のユーザの操作に応じて適宜更新される。
ネットワーク４０は、どのように構成されたネットワークでもよい。例えば、ネットワーク４０はインターネットを用いて構成されてもよい。
【００１８】
図３は、通信装置２０の機能構成を表す概略ブロック図である。
通信装置２０は、バスで接続されたＣＰＵ（Central Processing Unit）やメモリや補助記憶装置などを備え、情報表示プログラムを実行する。情報表示プログラムの実行によって、通信装置２０は、近距離通信部２０１、制御部２０２、通信部２０３、表示部２０４を備える装置として機能する。なお、通信装置２０の各機能の全て又は一部は、ＡＳＩＣ（Application Specific Integrated Circuit）やＰＬＤ（Programmable Logic Device）やＦＰＧＡ（Field Programmable Gate Array）等のハードウェアを用いて実現されてもよい。また、情報表示プログラムは、コンピュータ読み取り可能な記録媒体に記録されてもよい。コンピュータ読み取り可能な記録媒体とは、例えばフレキシブルディスク、光磁気ディスク、ＲＯＭ、ＣＤ−ＲＯＭ等の可搬媒体、コンピュータシステムに内蔵されるハードディスク等の記憶装置である。また、情報表示プログラムは、電気通信回線を介して送受信されてもよい。
【００１９】
近距離通信部２０１は、ＩＣタグ１０３との間で近距離無線通信を行う。例えば、近距離通信部２０１は、ＩＣタグ１０３に記憶されているアクセス情報を受信する。ここでは、アクセス情報としてＵＲＬを受信する場合を例に説明する。
制御部２０２は、通信装置２０の各機能部を制御する。例えば、制御部２０２は、近距離通信部２０１によって受信されたアクセス情報に基づいて、通信部２０３を制御してサーバ３０上のサイトにアクセスする。また、例えば、制御部２０２は、表示部２０４を制御して、アクセスしたサイトのデータを表示部２０４に表示する。
【００２０】
通信部２０３は、制御部２０２の制御に従って、ネットワーク４０を介してサーバ３０との間で通信を行う。例えば、通信部２０３は、サーバ３０上のサイトにアクセスする。また、例えば、通信部２０３は、サーバ３０からサイトのデータを受信する。
表示部２０４は、液晶ディスプレイ、有機ＥＬ（Electro Luminescence）ディスプレイ、ＣＲＴ（Cathode Ray Tube）ディスプレイ等の画像表示装置である。表示部２０４は、通信部２０３によって受信されたサイトのデータを表示する。表示部２０４は、画像表示装置を通信装置２０に接続するためのインタフェースであってもよい。この場合、表示部２０４は、サイトのデータを表示するための映像信号を生成し、自身に接続されている画像表示装置に映像信号を出力する。
【００２１】
図４は、通信装置２０の処理の流れを示すフローチャートである。
近距離通信部２０１は、容器１０に備えられるＩＣタグ１０３との間で通信を行うことによって、ＩＣタグ１０３に記憶されているＵＲＬを受信する（ステップＳ１０１）。近距離通信部２０１は、受信したＵＲＬを制御部２０２に出力する。制御部２０２は、近距離通信部２０１から出力されたＵＲＬに基づいて、通信部２０３を制御して、ＵＲＬで示されるサーバ３０上のサイトにアクセスする（ステップＳ１０２）。通信部２０３は、サーバ３０からサイトのデータを受信する。通信部２０３は、受信したサイトのデータを制御部２０２に出力する。制御部２０２は、表示部２０４を制御して、通信部２０３から出力されたサイトのデータを表示させる。表示部２０４は、制御部２０２の制御に従ってサイトのデータを表示する（ステップＳ１０３）。その後、操作部１０５は、ユーザからの操作を受け付ける（ステップＳ１０４）。ここで、ユーザから情報取得の操作がなされると、通信部２０３はサイトから対応する情報を取得する（ステップＳ１０５）。例えば、ユーザからレシピの情報取得の操作がなされると、通信部２０３はサイトからレシピの情報を受信する。通信部２０３は、受信したレシピの情報を制御部２０２に出力する。制御部２０２は、表示部２０４を制御して、通信部２０３から出力されたレシピの情報を表示させる。表示部２０４は、制御部２０２の制御に従ってレシピの情報を表示する（ステップＳ１０６）。
【００２２】
以上のように構成された容器１０によれば、購入前の容器に装着されたＩＣタグ１０３から容易に情報を取得させないようにすることが可能となる。以下、この効果について詳細に説明する。
容器１０には、購入前においてＩＣタグ１０３が備えられている天井面付近に遮断フィルム１０５が貼り付けられている。これにより、ＩＣタグ１０３には通信装置２０からの電磁波が届かない。したがって、ＩＣタグ１０３が起動することが無い。そのため、購入前の容器に装着又は付属されたＩＣタグ１０３から容易に情報を取得させないようにすることが可能になる。
また、遮断フィルム１０５は、容易に取り外すことができる。そのため、購入者は、購入後に容易にサイトにアクセスすることができる。
【００２３】
本実施形態では、蓋１０１の天井面にＩＣタグ１０３が備えられ、本体１０２が金属等の電磁波を通さない素材で構成されている。これにより、ＩＣタグ１０３と、本体１０２の側面とが垂直方向の関係になる。したがって、ＩＣタグ１０３と通信装置２０とは互いに、金属の影響を受けずに近距離無線通信の信号を読み込むことができる。そのため、ＩＣタグ１０３は容易に起動することが可能になり、通信装置２０はＩＣタグ１０３からアクセス情報を受信することが可能になる。
【００２４】
＜変形例＞
本体１０２は、電磁波を通す素材で構成されてもよい。このように構成される場合、容器１０の本体１０２の下端からＩＣタグ１０３が備えられる天井面までの距離は、ＩＣタグ１０３の通信可能範囲よりも長く構成される。
このように構成されることによって、本体１０２が電磁波を通す素材で構成されていたとしても、ＩＣタグ１０３からアクセス情報を取得できないようにすることができる。
また、本実施形態では、ＩＣタグ１０３が蓋１０１の天井面の内側に備えられている構成を示したが、ＩＣタグ１０３は蓋１０１の天井面の外側に備えられていてもよい。このように構成される場合、遮断フィルム１０５はＩＣタグ１０３の表面に貼り付けられる。
容器１０には、ＩＣタグ１０３が備えられている箇所が分かるような目印（例えば、マーク）がつけられていてもよい。
サーバ３０上のサイトには、ＩＣタグ１０３からアクセス情報を取得してからしかアクセスできないように構成されてもよい。
【００２５】
本実施形態では、アクセス情報としてサイトのＵＲＬがＩＣタグ１０３に記憶されている場合を例に説明したが、ＩＣタグ１０３にはアクセス情報としてサイトを識別するためのＩＤが記憶されていてもよい。このように構成される場合の処理について説明する。アクセス情報としてサイトを識別するためのＩＤがＩＣタグ１０３に記憶されている場合、通信装置２０はアクセス情報記憶部をさらに備える。アクセス情報記憶部は、磁気ハードディスク装置や半導体記憶装置などの記憶装置を用いて構成される。アクセス情報記憶部は、アクセス情報テーブルを記憶する。アクセス情報テーブルは、アクセスに関する情報を表すレコード（以下、「アクセスレコード」という。）によって構成される。図５は、アクセス情報テーブルの具体例を示す図である。アクセス情報テーブルは、アクセスレコードを複数有する。アクセスレコードは、ＩＤ及びＵＲＬの各値を有する。ＩＤの値は、サイトを識別するための識別情報を表す。ＵＲＬの値は、サイトのＵＲＬを表す。
【００２６】
図６は、変形例における通信装置２０の処理の流れを示すフローチャートである。図４と同様の処理については、図６において図４と同様の符号を付して説明を省略する。
近距離通信部２０１は、容器１０に備えられるＩＣタグ１０３との間で通信を行うことによって、ＩＣタグ１０３に記憶されているＩＤを受信する（ステップＳ２０１）。近距離通信部２０１は、受信したＩＤを制御部２０２に出力する。制御部２０２は、近距離通信部２０１から出力されたアクセス情報と、アクセス情報記憶部に記憶されているアクセス情報テーブルとを入力する。制御部２０２は、入力したアクセス情報と、アクセス情報テーブルとに基づいてＵＲＬを取得する（ステップＳ２０２）。具体的には、まず制御部２０２は、アクセス情報記憶部に記憶されているアクセス情報テーブルを読み出す。次に、制御部２０２は、読み出したアクセス情報テーブルのＩＤの項目を参照し、近距離通信部２０１から出力されたＩＤに対応するアクセスレコードを選択する。そして、制御部２０２は、選択したアクセスレコードのＵＲＬの項目に登録されているＵＲＬを取得する。その後、通信装置２０は、ステップＳ１０２以降の処理を実行する。
【００２７】
（第２の実施形態）
第１の実施形態では、ＩＣタグ１０３が予め蓋１０１の内側又は外側に備えられており、蓋１０１の周囲に遮断フィルム１０５が貼り付けられていた。これに対し、第２の実施形態では、ＩＣタグ１０３は予め蓋１０１に備えられず、容器１０に付属される。そして、容器１０の購入後に購入者がＩＣタグ１０３を自由に取り付け可能に構成される。
図７は、第２の実施形態における容器１０ａの構成を示す図である。
容器１０ａは、第１の実施形態と同様に蓋１０１及び本体１０２で構成される。容器１０ａは、容器１０ａの蓋１０１にＩＣタグ１０３ａが備えられておらず、遮断フィルム１０５ａが蓋１０１の天井面に貼り付けられていない点、蓋１０１の一部が本体１０２内部に入り込む構造となっている点で容器１０と構成が異なる。ＩＣタグ１０３ａは、購入前には包装袋１０６で覆われて容器１０ａの内部に収容され、梱包箱１の中に容器１０ａとともに収容される。包装袋１０６は、電磁波シールド素材でなくてもよく、一般的に使用されている包装袋でもよい。なお、ＩＣタグ１０３ａは包装袋１０６で覆われていなくてもよい。購入者は、容器１０ａの購入後に、ＩＣタグ１０３ａを自身の取り付けたい所望の位置に取り付ける。ＩＣタグ１０３ａの取り付け位置としては、例えば蓋１０１の天面（点線１０４で示される部分）が挙げられる。なお、ＩＣタグ１０３ａの取り付け位置は、容器１０ａ以外であってもよく、例えば、容器１０ａの収容ポーチにぶら下げて取り付けることや、キッチンの適当な位置に取り付けることも可能である。
【００２８】
以上のように構成された容器１０ａによれば、購入前の容器に付属されたＩＣタグから容易に情報を取得させないようにすることが可能となる。以下、この効果について詳細に説明する。
容器１０ａでは、蓋１０１の一部が本体１０２よりも中に入る構造となっている。これにより、本体１０２内にＩＣタグ１０３ａを入れただけでＩＣタグ１０３ａのデータを読み込むことができない。また、容器１０ａを上下反対にしてＩＣタグ１０３ａが蓋１０１に接する状態にしたとしてもＩＣタグ１０３ａのデータを読み込むことができない。そのため、購入前の容器に付属されたＩＣタグ１０３ａから容易に情報を取得させないようにすることが可能になる。
【００２９】
＜変形例＞
容器１０ａには、ＩＣタグ１０３ａを取り付ける目安となる箇所を示す目印（例えば、マーク）がつけられていてもよい。
サーバ３０上のサイトには、ＩＣタグ１０３ａからアクセス情報を取得してからしかアクセスできないように構成されてもよい。
本実施形態では、アクセス情報としてサイトのＵＲＬがＩＣタグ１０３ａに記憶されている場合を例に説明したが、ＩＣタグ１０３ａにはアクセス情報としてサイトを識別するためのＩＤが記憶されていてもよい。このように構成される場合の処理については第１の実施形態と同様であるため説明を省略する。
【００３０】
以上、この発明の実施形態について図面を参照して詳述してきたが、具体的な構成はこの実施形態に限られるものではなく、この発明の要旨を逸脱しない範囲の設計等も含まれる。
【符号の説明】
【００３１】
１０、１０ａ…容器，  ２０…通信装置，  ３０…サーバ，  ４０…ネットワーク，  １０１…蓋，  １０２…本体，  １０３、１０３ａ…ＩＣタグ，  １０５…遮断フィルム，  ２０１…近距離通信部，  ２０２…制御部，  ２０３…通信部，  ２０４…表示部
【図１】
2017134450.tif 000003
【図２】
2017134450.tif 000004
【図３】
2017134450.tif 000005
【図４】
2017134450.tif 000006
【図５】
2017134450.tif 000007
【図６】
2017134450.tif 000008
【図７】
2017134450.tif 000009